(57)【要約】      （修正有）【課題】流通段階での各業者の労力を軽減でき、簡単かつ容易に実施可能であるばかりでなく消費者が生産者に関する情報について確実に確認可能な偽装商品等の判別システムを提供する。【解決手段】生産者が商品を重量に基づいて小分けし、小分け商品の数だけ用意したトレース用タグを落札卸売り業者に小分け商品とともに手渡し、その数と落札卸売り業者の識別情報を関連づけて管理者がわのデータベースに個別情報として記録し、小売業者もこのトレース用タグを引き渡された小分け商品の数だけ入手してこれを小分け商品に付するようにした。仲買や小売段階業者は、トレース用タグの照合をいちいち行う必要がなく、自己の識別情報を管理者がわのデータベースに登録する必要もなくなって、流通段階での業者の労力を軽減できる。トレース用タグにより、消費者は、生産者に関する情報を閲覧可能であることから、安心して商品を購入できる。【選択図】  図１
2008197694.tif 000002
【特許請求の範囲】
【請求項１】
消費者等が商品に付されたトレースタグの記録情報を読取り、システム管理者が管理するとともに生産から販売に至る商品の一連の適正な履歴情報が記録されたデータベースサーバにアクセスし、当該商品の読取り情報に基づいてデータベースサーバに格納された個別履歴情報を確認することにより、当該商品が偽装もしくは偽造されたものであるかどうかを判別する、偽装もしくは偽造商品の判別システムにおいて、
システム運営者側に設けられ、インターネットを介してシステム運営者と少なくとも生産及び卸売り段階の業者並びに消費者との間で交わされる情報を制御処理する管理サーバと、生産者の一意なID情報がトレースコードとして記録され、商品もしくは商品の包装に取付けられるトレース用タグと、トレース用タグ上のトレースコードを読取る読取り手段とを備え、
管理者が生産者によって発信された商品の個体識別情報を上記データベースサーバに記録するステップと、
生産者が、商品の全体重量を任意の重量ごとに小分けし、管理者の管理サーバから送られた一意なID情報をトレースコードとして記録したトレース用タグを、上記小分け商品の数だけ用意するステップと、
商品の落札卸売り業者に、落札された小分け商品とその数に相当するトレース用タグを手渡すステップと、
落札卸売り業者が有する識別ラベルに記録された固有のID情報と、落札された小分け商品のそれぞれのトレース用タグの情報を読取って、両者を関連付けした情報として前記データベースに記録するステップと、
卸売り業者が、小売業者に、小分け商品と引渡す小分け商品の数に相当するトレース用タグを手渡すステップと、
小売業者が、小分け商品にトレース用タグを添付するステップと、
消費者が、上記読取手段によってトレース用タグ上のトレースコードを読取り、管理サーバに送信するステップと、
管理サーバが、消費者から送信されたコード情報により、データベースに記録された履歴情報をディスプレイに表示させるステップとを有する、
ことを特徴とする偽装商品もしくは偽造商品の判別システム。
【請求項２】
前記トレース用タグが、二次元コードラベルで、二次元コードがQRコードである、
請求項１記載のシステム。
【発明の詳細な説明】
【技術分野】
【０００１】
本発明は、主としてトレーサビリティシステムで利用可能な偽装もしくは偽造商品（以下偽装商品等という）の判別システムに関するものである。
【背景技術】
【０００２】
BSE(牛海綿状脳症)、鶏インフルエンザ、企業による各種偽装表示事件などから、特に安全性の重視される食品分野において、生産、製造・加工、流通、及び販売（小売）の各段階における商品履歴を確認することができるトレーサビリティシステムが導入されるようになってきている。
【０００３】
トレーサビリティシステムは、履歴情報をトレースコードもしくはトレースデータとして商品に付し、これを読取ることによって商品情報の追跡と遡及を可能とするシステムである。
トレース用にコード化あるいはデータ化される情報は、例えば、生産者段階では品名、産地情報、重量、賞味期限、入荷日、出荷日など、製造加工段階では製造者名、製造工場名、製造年月日、製造ライン、加工条件、容量、品質検査情報など、流通段階では出荷日時、輸配送社名、パレット番号あるいはケース番号、出荷先店舗名、運搬条件など、また販売段階では品名、原材料名、保存方法、小売店名、賞味期限など、それぞれの段階における商品の取扱い業者及び特性等を裏付ける個別履歴情報である。これらの個別履歴情報は、システム運営者側に構築されたデータベースに記録されて管理される。
【０００４】
生産段階の個別履歴情報は、データベースに記録された後、通常は、トレースコードとして生産者側に発行される。生産者はこのトレースコードを商品もしくは商品の包装に付して出荷する。製造加工業者、流通業者、及び販売業者は、前段階のトレースコードを読取り、情報を確認後、各段階での個別履歴情報をデータベースに付加、記録して得られた新たなトレースコードを商品に付す。これにより、生産段階から販売段階までの一連の商品履歴がトレースコードに記録され、トレースコードを読取ることで商品特性等の情報の追跡と遡及を行うことができる。トレースコードとしては、通常、バーコードが用いられ、
二次元コード（ＱＲコード）も一部採用される（例えば非特許文献１参照）。
【０００５】
トレーサビリティシステムでは、生産から販売に至る各業者によって履歴情報が作成もしくは付加され、利用される。しかし、偽装商品等によって最も影響を蒙るのは消費者である。消費者の安心あるいは安全性を確保するため、トレーサビリティシステムの中には、消費者に対しても履歴情報を開示提供するようにしたものがある（例えば非特許文献１参照）。
【０００６】
消費者による履歴情報の確認は、例えば、(１)販売店で履歴情報を予めプリントアウトしたものを展示したり、(２)トレースコードのうち、入手可能なコード（例えば数桁の数字コード）を消費者所有の端末装置から入力して管理者側のデータベースにアクセスし、履歴情報のページを閲覧して行うのが一般的である（例えば非特許文献１参照）。
【０００７】
また、(３)食料品またはその外装にコードで表示された個々の食料品の固有の履歴情報を、販売店が入力した付加情報と共に再コード化しラベルとして出力し、このラベルを個々の食料品又はその外装に添付するようにした履歴情報提供システムもある（例えば特許文献１参照）。この履歴情報提供システムは、消費者が興味を持った商品に貼付されているラベルのコードをリーダでスキャンすると、読み取られたコード情報が例えば文字情報に変換されて、店頭に置かれた表示手段に表示される。
【特許文献１】特開２００２−１５７３１７号公報（[０００６]、[００２２]〜[００２４]、図４）。
【非特許文献１】「食品トレーサビリティシステム導入の手引き（食品トレーサビリティガイドライン及びトレーサビリティシステム実証例）」、食品のトレーサビリティ導入ガイドライン策定委員会（平成１４年度農林水産省補助事業  安全・安心情報提供高度化事業報告書）、平成１５年３月発行、（29頁〜31頁、35頁〜71頁）。
【発明の開示】
【発明が解決しようとする課題】
【０００８】
しかしながら、消費者が履歴情報を得るにあたり、上記(1)や(3)の手法では、消費者は販売店により提供される情報をそのまま信頼せざるを得ず、業者、特に履歴情報をデータとして開示する販売店による偽装を防止できない。
【０００９】
また、特許文献１記載の上記(3)の手法は、販売店の作成する再コードが管理者側が販売店に提供するコードと同じであるとすると、前記した非特許文献１記載のトレーサビリティシステムの一般的な手法と何ら変わりはないことになる。管理者側のコード以外に販売店が独自のコードを採用するのであれば、再コード化とそれに要する設備機器が無駄となる。
【００１０】
また、これらのシステムは、商品の流通段階で、卸売りや仲買い業者並びに小売店が、タグをスキャンして管理者がわのデータベースサーバに格納された固有識別情報といちいち照合し、その確認後、みずからの情報を登録した上でこれを付加したタグを張り付けるなどして出荷や販売をしなければならず、各段階の業者に時間と労力及び経費を強いる結果になりがちであった。
一方、消費者にとっては、商品の生産者やブランドに間違いがなければ流通過程をどのようにたどったものであるかは、大きな問題ではない。
【００１１】
本発明の目的は、こうした従来技術の問題点に鑑み、流通段階での各業者の労力を軽減でき、しかも簡単かつ容易に実施可能であるばかりでなく消費者が生産者に関する情報については確実に確認可能な、偽装商品等の判別システムを提供することにある。
【課題を解決するための手段】
【００１２】
本発明は、上記した目的を達成するために、次の構成を備える。
すなわち、本発明は、消費者等が商品に付されたトレースタグの記録情報を読取り、システム管理者が管理するとともに生産から販売に至る商品の一連の適正な履歴情報が記録されたデータベースサーバにアクセスし、当該商品の読取り情報に基づいてデータベースサーバに格納された個別履歴情報を確認することにより、当該商品が偽装もしくは偽造されたものであるかどうかを判別する、偽装もしくは偽造商品の判別システムを改良したものである。
本システムは、システム運営者側に設けられ、インターネットを介してシステム運営者と少なくとも生産及び卸売り段階の業者並びに消費者との間で交わされる情報を制御処理する管理サーバと、生産者の一意なID情報がトレースコードとして記録され、商品もしくは商品の包装に取付けられるトレース用タグと、トレース用タグ上のトレースコードを読取る読取り手段とを備える。
そして、管理者が生産者によって発信された商品の個体識別情報を上記データベースサーバに記録するステップと、生産者が、商品の全体重量を任意の重量ごとに小分けし、管理者の管理サーバから送られた一意なID情報をトレースコードとして記録したトレース用タグを、上記小分け商品の数だけ用意するステップと、商品の落札卸売り業者に、落札された小分け商品とその数に相当するトレース用タグを手渡すステップと、落札卸売り業者が有する識別ラベルに記録された固有のID情報と、落札された小分け商品のそれぞれのトレース用タグの情報を読取って、両者を関連付けした情報として前記データベースに記録するステップと、卸売り業者が、小売業者に、小分け商品と引渡す小分け商品の数に相当するトレース用タグを手渡すステップと、小売業者が、小分け商品にトレース用タグを添付するステップと、消費者が、上記読取手段によってトレース用タグ上のトレースコードを読取り、管理サーバに送信するステップと、管理サーバが、消費者から送信されたコード情報により、データベースに記録された履歴情報をディスプレイに表示させるステップとを有する、ものである。
【００１３】
トレース用タグは、例えば裏面に剥離紙付きの接着層を備えた二次元コードラベルが経済的で、二次元コードも記録情報量の多さと信頼性の点でQRコードが望ましい。
また、トレース用タグは、重量に基づいて小分けされた商品の数だけ、存在するが、これらは予め商品の大、中、小を区分けし、それぞれについて所望の重量による小分けを行うようにしても良い。
【発明の効果】
【００１４】
本発明は、次の効果を奏する。
生産者が商品を重量に基づいて小分けし、この小分け商品の数だけ用意したトレース用タグ（二次元コードラベル）を落札卸売り業者に小分け商品とともに手渡し、その数と落札卸売り業者の識別情報を関連づけて管理者がわのデータベースに個別情報として記録し、小売業者もこのトレース用タグを引き渡された小分け商品の数だけ入手してこれを小分け商品に付するようにしたので、仲買や小売の段階での業者は、上流の業者が付したトレース用タグの照合をいちいち行う必要がなく、また、自己の識別情報を管理者がわのデータベースに登録する必要もなくなって、流通段階での業者の労力を軽減できる。
また、生産者も、トレース用タグを小分け商品の数だけ、印刷等により作成してこれを下流の業者に手渡すだけで済むので、簡単かつ用意に実施することができる。
しかも、トレース用タグによって、消費者は、生産者に関する情報をデータベースに記録された情報として閲覧可能であることから、安心して商品を購入することができる。
【発明を実施するための最良の形態】
【００１５】
本発明を、しじみを商品とするトレーサビリティシステムに適用した場合の実施例に基づいて詳説する。
図１は、本発明システムの概略構成図である。
本システムは、運営者がわにデータベースサーバ１と管理サーバ２を備える。
データベースサーバ１は、主として生産及び仲買段階における商品の一連の適正な履歴情報と、各段階での業者との交信記録、その他、暗号化情報などが記録されたデータベースである。
【００１６】
履歴情報としては、例えば、生産者ＩＤ、交信日時、生産地、捕獲日時、魚の種類名、重量、暗号化手段としての秘密鍵、公開鍵、生産者からの商品発送先、及び出荷日時などの生産者個別履歴情報と、流通業者ＩＤ、交信日時等の流通業者個別履歴情報などである。
【００１７】
管理サーバ２は、インターネットを介してシステム運営者と生産及び流通における業者あるいは消費者（以下、ユーザーという）との間で交信される情報を制御処理するサーバで、運営者のホームページを表示し、ユーザーとの間での情報の配信と受信を行うウェブサーバと、ユーザーと運営者との通信内容の秘密を確保するため、送受信されるデータを暗号化する通信サーバと、履歴情報をデータベースに記録し、生産履歴情報をＱＲコードとして生成し、あるいは暗号情報の読取りと比較を行うなどの制御部と、消費者あるいは必要に応じて流通業者や販売店がＱＲコードを読取る読取り手段として用いる携帯電話に配信されるアプリケーションソフトなどを含んでいる。ユーザーと運営者との情報交信は全て管理サーバを介して行われ、適正な情報のみが上記データベース１に登録される。
【００１８】
図中符号３は、本システムを利用する生産者で、商品の個別履歴情報を入力し、管理サーバ２と交信するPC端末と、管理サーバ２より配信されたＱＲコードをトレース用タグ３３として印刷するプリンタとを備える。商品の個別履歴情報の入力は、例えば運営者のホームペイジから提供される書式に必要事項を入力して行われる。
例えば、商品Gが１０Kgあるとして、これを200gごとに小分けすると、５０枚のトレース用タグTが印刷される。
【００１９】
トレース用タグTには、説明文（「携帯電話で生産情報を確認できます」など）、生産者の船名や氏名、あるいは携帯電話を使えない人のためにHPアドレスとIDが付記される。また、トレース用タグのQRコードには、アドレス+SJM−生産者ID（例えば固定４桁）+サイズ（L,M,Sの別）+トレーサID（シリアル１０桁）が情報として入る。したがって、アドレス+SJM−0040-L-0000000123などとなる。
【００２０】
トレース用タグTは、小売段階でのパックのフィルムに貼着容易なよう、シール材を用いると良い。
【００２１】
図中符号４は、本システムを利用する流通業者である。
流通業者は、入札時に小分け商品gのロットとリンクさせるため、QRコードが付された仲買ボードBが用意され、それぞれ個別の識別用IDを持つ。
５は、本システムを利用する販売（小売）業者で、本発明においては、スキャナやプリンタあるいはＰＣ端末などを用意する必要はない。
【００２２】
本発明の各段階における作業内容を説明する。
生産者３は、予め用意した（小分け重量が決まっている場合、予め印刷しておくことも可能である）トレース用タグTを、商品の質（L,M,S）にあったものの中から５０枚を取り、収納袋などに入れる。
【００２３】
商品Gは、２００ｇごとに小分けされてネットに入れ、トレース用タグTの入った収納袋がそれぞれナイロンピンなどで止められて、組合に搬送される。
市場において、仲卸Ａが、Ｎ個のネットを落札した場合、上記仲買ボードにあるＡの識別用IDの記録されたQRコードと、ネット１のトレース用タグTのQRコード、ネット２のトレース用タグのQRコードと、・・・・・ネットＮのトレース用タグのQRコードと読取り装置によって読取りをＮ回繰り返す。
他の落札仲卸業者がいる場合は、同様の作業を行う。
そして、全ての読取り作業終了後、データを管理者のデータベースサーバ１に一括転送する。
【００２４】
仲卸し業者４は、小売業者５に小分け商品gを引き渡すとき、トレース用タグTも同じ数だけ渡す。
小売業者５は、店頭に小分け商品gを陳列する前に、トレース用タグTを小分け商品にそれぞれ貼付する。
【００２５】
消費者６は、アプリケーションソフトをダウンロード可能でディジタルカメラ付きの携帯電話６１を用いて、本システムが運営し管理サーバ２が管理するサイトにアクセスし、本システムを利用するための偽装商品判別用のアプリケーションソフトをダウンロードする。生産者のHPアドレスが記録されている場合には、直接当該ホームページにアクセスすることも可能である。
【００２６】
アプリケーションソフトによって解析され、読取られたＱＲコードの情報を管理サーバ２に送信すると、管理サーバ２は、ディジタル署名に基づいて真正なものか偽装あるいは偽造されたものかを判断する。真正なものとして認証された場合には、当該商品の履歴情報（生産〜卸売り業者の履歴情報あるいは登録処理システムによって消費者向けに限定あるいは加工された履歴情報）を、消費者の携帯電話に送信する。これにより、消費者は、当該商品が偽装あるいは偽造されたものでないことを確認できるとともにその履歴情報を知ることができる。
【００２７】
また、商品の全重量に対して、小分け商品gの数が多すぎる場合、あるいは仲買業者４の落札数と小分け商品gの数が合わない場合にも偽装商品であるとの信号を送ることができる。
いずれにしろ、消費者は、生産情報を手軽に得ることができ、商品を安心して購入することができる。
【図面の簡単な説明】
【００２８】
【図１】本発明の一実施例に係るシステムの概略構成図。
【符号の説明】
【００２９】
１    データベース
２    管理サーバ
３    生産者
４    流通業者
５    販売店
６    消費者
６１  携帯電話
T    トレース用タグ
G    商品
g    小分け商品
【図１】
2008197694.tif 000003